(57)【要約】      （修正有）【課題】利便性を向上させる加熱調理器を提供する。【解決手段】加熱調理器１は、本体１０と、本体の上部に配置されている天板２０とを有する。本体の内部に、少なくとも１つの加熱手段と、少なくとも１つの加熱手段を駆動する少なくとも１つの駆動基板と、少なくとも１つの冷却ファンが収容されている。本体に、少なくとも１つの吸気口と、少なくとも１つの排気口が形成されている。加熱調理器は、操作を行う少なくとも２つの操作部３０，４０を備えている。少なくとも２つの操作部は、天板の縁部においてそれぞれ異なる位置に設けられている。【選択図】図１
2019185988.tif 000002
【特許請求の範囲】
【請求項１】
本体と、前記本体の上部に配置されている天板とを有する加熱調理器であって、
前記本体の内部に、少なくとも１つの加熱手段と、前記加熱手段を駆動する少なくとも１つの駆動基板と、少なくとも１つの冷却ファンが収容され、
前記本体に、少なくとも１つの吸気口と、少なくとも１つの排気口が形成されており、
前記加熱調理器の操作を行う少なくとも２つの操作部と、
前記操作部の入力に応じて前記加熱調理器を制御する制御部とを備え、
前記操作部は、前記天板の縁部においてそれぞれ異なる位置に設けられている加熱調理器。
【請求項２】
前記排気口は、前記本体の底面において前記底面の縁部に沿って形成されており、
前記操作部は、前記本体の前記排気口の形成位置に対応する前記天板の縁部における位置とは異なる位置に設けられている請求項１に記載の加熱調理器。
【請求項３】
前記本体に、前記加熱調理器に電源を供給する電源コードが設けられており、
前記操作部は、前記本体の前記電源コードの配設位置に対応する前記天板の縁部における位置とは異なる位置に設けられている請求項２に記載の加熱調理器。
【請求項４】
前記吸気口は、前記本体の前記底面において前記排気口よりも前記底面の中央よりに形成され、
前記排気口と前記吸気口の間に、前記本体の前記底面において下方向に突出する脚部が設けられ、
前記脚部は、前記排気口に沿って前記排気口が形成されている範囲に亘って途切れることなく延びている請求項３に記載の加熱調理器。
【請求項５】
前記脚部の両端部に、前記排気口が形成されている側に向かって延びる脚部側壁が設けられている請求項４に記載の加熱調理器。
【請求項６】
前記底面において、前記排気口は複数形成されている請求項４又は５に記載の加熱調理器。
【請求項７】
前記加熱手段を複数備え、
複数の前記加熱手段に対応して複数の前記排気口が形成されており、
複数の前記排気口は、前記加熱手段において前記本体の外方側に位置する端部に対向する前記本体の縁部に配置されている請求項１に記載の加熱調理器。
【請求項８】
前記本体内において、複数の前記加熱手段に対応して複数の前記冷却ファンが設けられており、複数の前記冷却ファンの間に第１壁部が設けられている請求項７に記載の加熱調理器。
【請求項９】
前記第１壁部と前記天板との間に弾性部材が設けられている請求項８に記載の加熱調理器。
【請求項１０】
複数の前記加熱手段に対応して前記本体の底面に複数の前記吸気口が形成されており、
前記底面において前記加熱調理器の設置面側を向く面に、複数の前記吸気口の間に第２壁部が設けられている請求項８又は９に記載の加熱調理器。
【請求項１１】
前記制御部は、複数の前記加熱手段のそれぞれの設定火力に応じて、複数の前記冷却ファンの回転数を制御する請求項７〜１０のいずれか一項に記載の加熱調理器。
【請求項１２】
前記操作部のそれぞれの中央に、前記加熱調理器の主電源スイッチが設けられている請求項７〜１１のいずれか一項に記載の加熱調理器。
【請求項１３】
前記制御部により複数の前記加熱手段が個別に駆動される個別加熱モードと、前記制御部により、複数の前記加熱手段のうち、隣接する少なくとも２つの前記加熱手段が協同で駆動される協同加熱モードを備える請求項７〜１２のいずれか一項に記載の加熱調理器。
【請求項１４】
前記操作部のそれぞれの操作仕様は同一である、請求項１〜１３のいずれか一項に記載の加熱調理器。
【請求項１５】
前記天板において前記加熱手段によって加熱される領域と前記操作部との間に、前記操作部に沿って上方に向かって突出する凸部が設けられている請求項１〜１４のいずれか一項に記載の加熱調理器。
【発明の詳細な説明】
【技術分野】
【０００１】
本発明は、テーブル等に置いて使用する卓上型の加熱調理器に関する。
【背景技術】
【０００２】
従来、加熱調理器にはテーブル等に置いて使用する卓上型のものがある。１台の加熱調理器を２人の使用者が同時に使用する場合がある。例えば、特許文献１には、２人の使用者が対向して１台の誘導加熱調理器を使用することを想定し、排気による不快感を低減して、排気口を形成したものが記載されている。
【先行技術文献】
【特許文献】
【０００３】
【特許文献１】特開平６−１３２０７２号公報
【発明の概要】
【発明が解決しようとする課題】
【０００４】
しかしながら、特許文献１に記載の誘導加熱調理器において、操作部は一方の使用者側にのみ設けられている。そのため、２人で使用することを想定しているにもかかわらず、操作性が悪いという問題がある。
【０００５】
本発明は、上述のような課題を背景としてなされたものであり、利便性の高い加熱調理器を提供することを目的としている。
【課題を解決するための手段】
【０００６】
本発明に係る加熱調理器は、本体と、前記本体の上部に配置されている天板とを有する加熱調理器であって、前記本体の内部に、少なくとも１つの加熱手段と、前記加熱手段を駆動する少なくとも１つの駆動基板と、少なくとも１つの冷却ファンが収容され、前記本体に、少なくとも１つの吸気口と、少なくとも１つの排気口が形成されており、前記加熱調理器の操作を行う少なくとも２つの操作部と、前記操作部の入力に応じて前記加熱調理器を制御する制御部とを備え、前記操作部は、前記天板の縁部においてそれぞれ異なる位置に設けられている。
【発明の効果】
【０００７】
本発明によれば、少なくとも２つの操作部は、天板において異なる縁部に設けられている。従って、加熱調理器を挟んで２人の使用者が対向して調理する場合、双方の使用者がそれぞれ加熱調理器を操作することができる。従って、加熱調理器の利便性が向上する。
【図面の簡単な説明】
【０００８】
【図１】本発明の実施の形態１に係る加熱調理器の斜視図である。
【図２】本発明の実施の形態１に係る加熱調理器の平面図である。
【図３】本発明の実施の形態１に係る加熱調理器を底面から示す斜視図である。
【図４】本発明の実施の形態１に係る加熱調理器の内部を示す図である。
【図５】本発明の実施の形態１に係る加熱調理器の断面図である。
【図６】本発明の実施の形態１に係る加熱調理器の変形例を底面から示す斜視図である。
【図７】本発明の実施の形態２に係る加熱調理器の斜視図である。
【図８】本発明の実施の形態２に係る加熱調理器の平面図である。
【図９】本発明の実施の形態２に係る加熱調理器を底面から示す斜視図である。
【図１０】本発明の実施の形態２に係る加熱調理器の内部を示す図である。
【図１１】本発明の実施の形態２に係る加熱調理器の断面図である。
【図１２】本発明の実施の形態２に係る加熱調理器の断面図である。
【図１３】本発明の実施の形態２に係る加熱調理器の内部の斜視図である。
【図１４】本発明の実施の形態２に係る加熱調理器の機能ブロック図である。
【図１５】実施の形態２の第１変形例の加熱調理器の底面図である。
【図１６】実施の形態２の第２変形例の加熱調理器の内面を示す図である。
【図１７】実施の形態２の第３変形例の加熱調理器の内面を示す図である。
【図１８】実施の形態２の第４変形例の加熱調理器の平面図である。
【図１９】実施の形態２の第５変形例の加熱調理器の平面図である。
【発明を実施するための形態】
【０００９】
以下、本発明の加熱調理器の好適な実施の形態について図面を用いて説明する。尚、以下に説明する実施の形態によって本発明が限定されるものではない。また、図面における各構成部材の大きさ及び形状は、説明のためにわかりやすく表しており、実際の大きさ及び形状と異なる場合がある。
【００１０】
実施の形態１．
図１は、本発明の実施の形態１に係る加熱調理器の斜視図である。図２は、本発明の実施の形態１に係る加熱調理器の平面図である。図３は、本発明の実施の形態１に係る加熱調理器を底面から示す斜視図である。加熱調理器１は卓上型の加熱調理器であり、本体１０と天板２０とを有する。本体１０は、上ケース１１と下ケース１２を有している。本体１０は全体として略直方体の形状を呈している。下ケース１２の裏面、すなわち本体１０の底面１３は、略矩形の形状を呈している。
【００１１】
天板２０は矩形の薄板状の部材であり、本体１０の上部に配置されている。天板２０は、４つの縁部２０Ａ、縁部２０Ｂ、縁部２０Ｃ、及び縁部２０Ｄでその外郭が形成されている。縁部２０Ａと縁部２０Ｂは平行に延びている。縁部２０Ｃと縁部２０Ｄは平行に延びている。縁部２０Ａ及び縁部２０Ｂと、縁部２０Ｃ及び縁部２０Ｄは、交差している。
【００１２】
底面１３は、４つの縁部１３Ａ、縁部１３Ｂ、縁部１３Ｃ、及び縁部１３Ｄでその外郭が形成されている。縁部１３Ａと縁部１３Ｂは平行に延びている。縁部１３０Ｃと縁部１３Ｄは平行に延びている。縁部１３Ａ及び縁部１３Ｂと、縁部１３Ｃ及び縁部１３Ｄは、交差している。
【００１３】
天板２０の縁部２０Ａの下方に底面１３の縁部１３Ａが位置しており、縁部２０Ａと縁部１３Ａは平行に延びている。天板２０の縁部２０Ｂの下方に底面１３の縁部１３Ｂが位置しており、縁部２０Ｂと縁部１３Ｂは平行に延びている。天板２０の縁部２０Ｃの下方に底面１３の縁部１３Ｃが位置しており、縁部２０Ｃと縁部１３Ｃは平行に延びている。天板２０の縁部２０Ｄの下方に底面１３の縁部１３Ｄが位置しており、縁部２０Ｄと縁部１３Ｄは平行に延びている。すなわち、天板２０の縁部２０Ａと底面１３の縁部１３Ａは対応し、天板２０の縁部２０Ｂと底面１３の縁部１３Ｂが対応し、天板２０の縁部２０Ｃと底面１３の縁部１３Ｃが対応し、天板２０の縁部２０Ｄと底面１３の縁部１３Ｄが対応している。
【００１４】
天板２０の略中央には加熱領域２１が形成されている。本体１０内において加熱領域２１の下方には加熱手段が収容されている。加熱手段については後述する。加熱領域２１は、被加熱物が載置される領域である。加熱調理器１は、加熱調理器１の操作を行う第１操作部３０と第２操作部４０を備えている。第１操作部３０は、天板２０の縁部２０Ａの側の端部に位置づけられている。第２操作部４０は、天板２０の縁部２０Ｂの側の端部に位置づけられている。すなわち、第１操作部３０と第２操作部４０は、天板２０の縁部において、それぞれ異なる位置に設けられており、平行に延びている。
【００１５】
底面１３に、吸気口５０と、第１排気口６０と、第２排気口６１が形成されている。第１排気口６０及び第２排気口６１は、複数の長方形の開口部で構成されている。第１排気口６０及び第２排気口６１の複数の長方形の開口部は、長手方向の辺同士が隣接するよう、１列に並置されている。第１排気口６０は、底面１３の縁部１３Ｃに沿って形成されている。第２排気口６１は、底面１３の縁部１３Ｃと平行に延びる縁部１３Ｄに沿って形成されている。すなわち、第１排気口６０と第２排気口６１は、底面１３において、それぞれ異なる位置に設けられており、平行に延びている。
【００１６】
吸気口５０は、複数の扇形の開口部で構成されている。同一の大きさを有する扇形の開口部が同一円周上に配置されるとともに、大きさの異なる扇形の開口部が放射状に配置されている。吸気口５０は第１排気口６０と第２排気口６１の間に形成されている。すなわち、吸気口５０は底面１３において、第１排気口６０及び第２排気口６１よりも中央よりに形成されている。
【００１７】
天板２０において、第１排気口６０の形成位置に対応する縁部は縁部２０Ｄであり、第２排気口６１の形成位置に対応する縁部は縁部２０Ｃである。上述のように、天板２０において、第１操作部３０は縁部２０Ａの側の端部に設けられ、第２操作部４０は縁部２０Ｂの側の端部に設けられている。このように、本実施の形態１では、第１操作部３０及び第２操作部４０は、第１排気口６０及び第２排気口６１の形成位置に対応する天板２０の縁部とは異なる縁部に設けられている。
【００１８】
本体１０の下ケース１２において、底面１３の縁部１３Ｄの側の側面に、加熱調理器１に電源を供給するための電源コード８０が設けられている。すなわち、本実施の形態１では、第１操作部３０及び第２操作部４０は、電源コード８０の配設位置に対応する天板２０の縁部とは異なる縁部に設けられている。電源コード８０は下ケース１２に対し着脱自在に接続されてもよい。本体１０から電源コード８０を外して収納できるので、電源コード８０が収納の妨げにならず、使い勝手がよい。
【００１９】
図４は、本発明の実施の形態１に係る加熱調理器の内部を示す図である。図４は、天板２０を取り外した状態の加熱調理器１を示している。図５は、本発明の実施の形態１に係る加熱調理器の断面図である。図５は、図２の線Ａ−Ａ矢視断面図である。本体１０内には、加熱手段１１０と、駆動基板１２０と、冷却ファン１３０とが収容されている。加熱手段１１０は、図１及び図２に示す天板２０の加熱領域２１の下方に配置されている。加熱手段は、例えば、電気ヒータ若しくは誘導加熱ヒータである。駆動基板１２０と冷却ファン１３０は、底面１３において、本体１０の内方を向いている面に配置されている。駆動基板１２０は加熱手段を駆動するための電子部品が搭載されている。冷却ファン１３０は、吸気口５０の上方に配置されている。尚、図４において、加熱手段１１０は二点鎖線で示されている。また、図５において、空気が冷却ファン１３０により吸気口５０から吸気され、本体１０内を流れる態様を白抜きの太矢印で示している。
【００２０】
また、天板２０と本体１０との間には、第１操作部３０の下方に第１操作基板１２１が設けられ、第２操作部４０の下方に第２操作基板１２２が設けられている。第１操作基板１２１には第１操作部３０を制御するための電子部品が搭載され、第２操作基板１２２には第２操作部４０を制御するための電子部品が搭載されている。
【００２１】
天板２０には、第１凸部２２と第２凸部２３が設けられている。第１凸部２２及び第２凸部２３は、上方に向かって突出している。第１凸部２２は、第１操作部３０と加熱領域２１との間において、第１操作部３０に沿って延びている。第２凸部２３は、第２操作部４０と加熱領域２１との間において、第２操作部４０に沿って延びている。
【００２２】
底面１３において、本体１０の内方を向く面には、風向板１４０が設けられている。風向板１４０は薄板状の部材であり、Ｕ字型の形状を呈している。風向板１４０はＵ字の湾曲部１４０Ａと、直線部１４０Ｃと、直線部１４０Ｄとを有している。風向板１４０は、湾曲部１４０Ａが縁部１３Ａと冷却ファン１３０との間に位置し、湾曲部１４０Ａの凹面側が冷却ファン１３０に対向し、直線部１４０Ｃが縁部１３Ｃに沿って平行に延び、直線部１４０Ｄが縁部１３Ｄに沿って平行に延びるよう配置されている。尚、図４において、上ケース１１の開口部から露出していない、湾曲部１４０Ａの一部、冷却ファン１３０の一部、及び吸気口５０の一部は破線で示されている。
【００２３】
図１及び図２に示すように、第１操作部３０は、第１電源スイッチ３１と、第１オンオフスイッチ３２と、第１ＵＰスイッチ３３と、第１ＤＯＷＮスイッチ３４と、第１表示部３５とを有している。同様に、第２操作部４０は、第２電源スイッチ４１と、第２オンオフスイッチ４２と、第２ＵＰスイッチ４３と、第２ＤＯＷＮスイッチ４４と、第２表示部４５とを有している。
【００２４】
第１電源スイッチ３１及び第２電源スイッチ４１は、加熱調理器１の主電源をオンオフするための主電源スイッチである。第１オンオフスイッチ３２及び第２オンオフスイッチ４２は、加熱手段による加熱の開始及び停止を行うためのスイッチである。第１ＵＰスイッチ３３及び第２ＵＰスイッチ４３は、加熱手段による加熱の温度を上昇させるためのスイッチである。第１ＤＯＷＮスイッチ３４及び第２ＤＯＷＮスイッチ４４は、加熱手段よる加熱の温度を下降させるためのスイッチである。第１表示部３５及び第２表示部４５には、加熱手段による加熱の状態が表示される。このように、本実施の形態１において、第１操作部３０と第２操作部４０は、同一の操作仕様を備えている。
【００２５】
図１、図３、及び図５に示すように、本体１０の底面１３には、下方向に突出する第１脚部７０と第２脚部７１が設けられている。第１脚部７０及び第２脚部７１は、直方体の形状を有している。第１脚部７０は、第１排気口６０と吸気口５０との間において、長手方向が第１排気口６０に沿うよう配置されている。第２脚部７１は、第２排気口６１と吸気口５０との間において、長手方向が第２排気口６１に沿うよう配置されている。第１脚部７０は、第１排気口６０が形成されている範囲に亘って途切れることなく延びている。同様に、第２脚部７１は、第２排気口６１が形成されている範囲に亘って途切れることなく延びている。
【００２６】
以上のように、本実施の形態１によれば、加熱調理器１において、第１操作部３０と第２操作部４０という２つの操作部が、天板２０において異なる縁部に設けられている。従って、加熱調理器１を挟んで２人の使用者が対向して調理する場合、双方の使用者がそれぞれ加熱調理器１を操作することができる。従って、加熱調理器１において良好な操作性が得られ、利便性が向上する。
【００２７】
第１操作部３０及び第２操作部４０は、第１排気口６０及び第２排気口６１が形成されていない縁部に設けられている。そのため、第１操作部３０及び第２操作部４０を操作するために着席している使用者に、排気風が当たることがない。従って、使用者は加熱調理器１を快適に操作することができる。
【００２８】
第１操作部３０及び第２操作部４０は、電源コード８０が設けられていない縁部に設けられている。そのため、電源コード８０を室内のコンセントに接続する場合、第１操作部３０及び第２操作部４０を操作するために着席している使用者に、電源コード８０が絡むことがない。従って、使い勝手のより加熱調理器１が得られる。
【００２９】
第１操作部３０及び第２操作部４０は、同一の操作仕様である。従って、加熱調理器１を設置する場所におけるコンセントの位置に応じて、第１操作部３０若しくは第２操作部４０のいずれかを操作することができる。すなわち、加熱調理器１を使用するにあたり、コンセントの位置に左右されることなく良好な操作を行うことができる。
【００３０】
加熱調理器１において、第１排気口６０及び第２排気口６１という２つの排気口が形成されており、より大きな排気口の面積が確保されている。そのため、本体１０内を冷却する冷却風の圧力損失を低下させることができる。圧力損失とは、空気が吸気口から吸い込まれ、本体内を流れ、排気口から排出されるときの、吸気口、冷却風の風路及び排気口の形状によって生じる抵抗である。上述のように圧力損失を低下させることにより、冷却ファン１３０による冷却効率が向上する。
【００３１】
また、同一の冷却効率を得ようとする場合、本実施の形態１の加熱調理器１は、形成されている排気口が例えば１箇所のみで、排気口の総面積が小さく、圧力損失の大きい加熱調理器に比べ、冷却ファン１３０の駆動を抑制することが可能となる。従って、本実施の形態１によれば、加熱調理器１の使用中に静音化を図ることができる。
【００３２】
本実施の形態１では、底面１３に第１脚部７０と第２脚部７１が設けられている。そのため、底面１３と、加熱調理器１が載置される面との間に空間が確保され、その空間に手をいれることができる。従って、第１脚部７０及び第２脚部７１を持ち手とすることができ、加熱調理器１の持ち運びを容易に行うことができる。
【００３３】
第１脚部７０は、第１排気口６０が形成されている範囲に亘って途切れることなく延びており、第２脚部７１は、第２排気口６１が形成されている範囲に亘って途切れることなく延びている。そのため、第１排気口６０及び第２排気口６１から排出される高温の排気風が、吸気口５０へ導かれることが防止される。その結果、吸気口５０から高温の空気が吸い込まれることが防止され、冷却ファン１３０による冷却効率の低減を抑制することができる。
【００３４】
また、天板２０の第１凸部２２により、調理中に吹きこぼれが発生した場合であっても、第１操作部３０側へ吹きこぼれが流れこむことが防止される。従って、第１操作部３０の操作に影響を与えることがない。同様に、天板２０の第２凸部２３により、調理中に吹きこぼれが発生した場合であっても、第２操作部４０側へ吹きこぼれが流れこむことが防止される。従って、第２操作部４０の操作に影響を与えることがない。
【００３５】
図６は、本発明の実施の形態１に係る加熱調理器の変形例を底面から示す斜視図である。この変形例において、本体１０の底面１３には、第１脚部側壁９１と、第２脚部側壁９２と、第３脚部側壁９３と、第４脚部側壁９４が設けられている。第１脚部側壁９１、第２脚部側壁９２、第３脚部側壁９３、及び第４脚部側壁９４は、底面１３の角部に設けられている。第１脚部側壁９１及び第２脚部側壁９２は、第１脚部７０の両端部に配置されている。
【００３６】
第１脚部側壁９１は、第１脚部７０の縁部１３Ａ側の端部において、第１排気口６０が形成されている側に向かって延びている。第２脚部側壁９２は、第１脚部７０の縁部１３Ｂ側の端部において、第１排気口６０が形成されている側に向かって延びている。第３脚部側壁９３は、第２脚部７１の縁部１３Ａ側の端部において、第２排気口６１が形成されている側に向かって延びている。第４脚部側壁９４は、第２脚部７１の縁部１３Ｂ側の端部において、第２排気口６１が形成されている側に向かって延びている。
【００３７】
本変形例によれば、第１排気口６０は第１脚部７０と第１脚部側壁９１と第２脚部側壁９２とで、３方を囲まれ、第２排気口６１は第２脚部７１と第３脚部側壁９３と第４脚部側壁９４とで、３方を囲まれている。そのため、第１排気口６０及び第２排気口６１から排気される排気風の、吸気口５０への流入がより効果的に防止される。
【００３８】
実施の形態２．
図７は、本発明の実施の形態２に係る加熱調理器の斜視図である。図８は、本発明の実施の形態２に係る加熱調理器の平面図である。図９は、本発明の実施の形態２に係る加熱調理器を底面から示す斜視図である。加熱調理器２は卓上型の加熱調理器であり、本体２１０と天板２２０とを有する。本体２１０は、上ケース２１１と下ケース２１２を有している。本体２１０は全体として略直方体の形状を呈している。下ケース２１２の底面、すなわち本体２１０の底面２１３は略長方形の形状を有している。
【００３９】
天板２２０は矩形の薄板状の部材であり、本体２１０の上部に配置されている。天板２２０は、４つの縁部２２０Ａ、縁部２２０Ｂ、縁部２２０Ｃ、及び縁部２２０Ｄでその外郭が形成されている。縁部２２０Ａと縁部２２０Ｂは平行に延びている。縁部２２０Ｃと縁部２２０Ｄは平行に延びている。縁部２２０Ａ及び縁部２２０Ｂと、縁部２２０Ｃ及び縁部２２０Ｄとは、交差している。縁部２２０Ａ及び縁部２２０Ｂの長さは、縁部２２０Ｃ及び縁部２２０Ｄの長さより長い。
【００４０】
底面２１３は、４つの縁部２１３Ａ、縁部２１３Ｂ、縁部２１３Ｃ、及び縁部２１３Ｄでその外郭が形成されている。縁部２１３Ａと縁部２１３Ｂは平行に延びている。縁部２１３Ｃと縁部２１３Ｄは平行に延びている。縁部２１３Ａ及び縁部２１３Ｂと、縁部２１３Ｃ及び縁部２１３Ｄとは、交差している。縁部２１３Ａ及び縁部２１３Ｂの長さは、縁部２１３Ｃ及び縁部２１３Ｄの長さより長い。
【００４１】
天板２２０の縁部２２０Ａの下方に底面２１３の縁部２１３Ａが位置しており、縁部２２０Ａと縁部２１３Ａは同一方向に延びている。天板２２０の縁部２２０Ｂの下方に底面２１３の縁部２１３Ｂが位置しており、縁部２２０Ｂと縁部２１３Ｂは同一方向に延びている。天板２２０の縁部２２０Ｃの下方に底面２１３の縁部２１３Ｃが位置しており、縁部１２０Ｃと縁部１１３Ｃは同一方向に延びている。天板２２０の縁部１２０Ａの下方に底面２１３の縁部２１３Ｄが位置しており、縁部２２０Ｄと縁部２１３Ｄは同一方向に延びている。すなわち、天板２２０の縁部２２０Ａと底面２１３の縁部２１３Ａは対応し、天板２２０の縁部２２０Ｂと底面２１３の縁部２１３Ｂが対応している。また、天板２２０の縁部２２０Ｃと底面２１３の縁部２１３Ｃが対応し、天板２２０の縁部２２０Ｄと底面２１３の縁部２１３Ｄが対応している。
【００４２】
天板２２０には、第１加熱領域２２１と第２加熱領域２２２が形成されている。本体２１０内において第１加熱領域２２１及び第２加熱領域２２２の下方には、それぞれ加熱手段が収容されている。加熱手段については後述する。第１加熱領域２２１及び第２加熱領域２２２は、被加熱物が載置される領域である。加熱調理器２は、加熱調理器２の操作を行う第１操作部２３０と第２操作部２４０を備えている。第１操作部２３０は、天板２２０の縁部２２０Ａの側の端部に位置づけられている。第２操作部２４０は、天板２２０の縁部２２０Ｂの側の端部に位置づけられている。すなわち、第１操作部２３０と第２操作部２４０は、天板２２０の縁部において、それぞれ異なる位置に設けられており、平行に延びている。
【００４３】
底面２１３に、第１吸気口２５０と、第２吸気口２５１と、第１排気口２６０と、第２排気口２６１が形成されている。第１排気口２６０及び第２排気口２６１は、上述の実施の形態１の第１排気口６０及び第２排気口６１と同様の態様を有している。第１排気口２６０は、底面２１３の縁部２１３Ｃに沿って形成されている。第２排気口２６１は、底面２１３の縁部２１３Ｃと平行に延びる縁部２１３Ｄに沿って形成されている。すなわち、第１排気口２６０と第２排気口２６１は、底面２１３において、それぞれ異なる位置に設けられており、平行に延びている。
【００４４】
第１吸気口２５０及び第２吸気口２５１は、上述の実施の形態１の吸気口５０と同様の態様を有している。第１吸気口２５０及び第２吸気口２５１は、第１排気口２６０と第２排気口２６１の間に形成されている。第１吸気口２５０は、底面２１３において、第１排気口２６０よりも中央よりに形成され、第２吸気口２５１は、底面２１３において、第２排気口２６１よりも中央よりに形成されている。第１吸気口２５０は、底面２１３の縁部２１３Ａと縁部２１３Ｃが交差する角部側に形成されている。第２吸気口２５１は、底面２１３の縁部２１３Ｂと縁部２１３Ｄが交差する角部側に形成されている。すなわち、第１吸気口２５０と第２吸気口２５１は、対角線上に配置されている。
【００４５】
天板２２０において、第１排気口２６０の形成位置に対応する縁部は縁部２２０Ｃであり、第２排気口２６１の形成位置に対応する縁部は縁部２２０Ｄである。上述のように、天板２２０において、第１操作部２３０は縁部２２０Ａの側の端部に設けられ、第２操作部２４０は縁部２２０Ｂの側の端部に設けられている。このように、本実施の形態２では、第１操作部２３０及び第２操作部２４０は、第１排気口２６０及び第２排気口２６１の形成位置に対応する天板２２０の縁部とは異なる縁部に設けられている。
【００４６】
本体２１０の下ケース２１２において、底面２１３の縁部２１３Ｄの側の側面に、加熱調理器１に電源を供給するための電源コード２８０が設けられている。すなわち、本実施の形態２では、第１操作部２３０及び第２操作部２４０は、電源コード２８０の配設位置に対応する天板２２０の縁部とは異なる縁部に設けられている。
【００４７】
図１０は、本発明の実施の形態２に係る加熱調理器の内部を示す図である。図１１及び図１２は、本発明の実施の形態２に係る加熱調理器の断面図である。図１１は図８の線Ｂ−Ｂ矢視断面図である。図１２は図８の線Ｃ−Ｃ矢視断面図である。本体２１０内には、第１加熱手段３１０と、第２加熱手３１１手段と、第１駆動基板３２０と、第２駆動基板３２１と、第１冷却ファン３３０と、第２冷却ファン３３１が収容されている。第１冷却ファン３３０は、第１加熱手段３１０に対応して設けられる。第２冷却ファン３３１は、第２加熱手３１１に対応して設けられる。また、上述の第１吸気口２５０は第１加熱手段３１０に対応して配置され、上述の第２吸気口２５１は第２加熱手段３１１に対応して配置されている。第１加熱手段３１０は、図７及び図８に示す天板２２０の第１加熱領域２２１の下方に配置されている。第２加熱手段３１１は、図７及び図８に示す天板２２０の第２加熱領域２２２の下方に配置されている。第１加熱手段３１０及び第２加熱手段３１１は、例えば、電気ヒータ及び誘導加熱ヒータである。
【００４８】
第１駆動基板３２０、第２駆動基板３２１、第１冷却ファン３３０、及び第２冷却ファン３３１は、底面２１３において、本体２１０の内方を向いている面に配置されている。第１駆動基板３２０には第１加熱手段３１０を駆動するための電子部品が搭載されている。第２駆動基板３２１には第２加熱手段３１１を駆動するための電子部品が搭載されている。第１冷却ファン３３０は、第１吸気口２５０の上方に配置されている。第２冷却ファン３３１は、第２吸気口２５１の上方に配置されている。すなわち、第１冷却ファン３３０と第２冷却ファン３３１は、底面２１３の対角線上に配置されている。第１駆動基板３２０と第２駆動基板３２１は、第１冷却ファン３３０と第２冷却ファン３３１が位置する底面２１３の対角線と交差する対角線上に配置されている。尚、図１０において、第１加熱手段３１０及び第２加熱手段３１１は二点鎖線で示されている。
【００４９】
また、天板２２０と本体２１０との間には、第１操作部２３０の下方に第１操作基板３２２が設けられ、第２操作部２４０の下方に第２操作基板３２３が設けられている。第１操作基板３２２には第１操作部２３０を制御するための電子部品が搭載され、第２操作基板３２３には第２操作部２４０を制御するための電子部品が搭載されている。
【００５０】
図１０に示されるように、本実施の形態２では、複数の加熱手段に対応して複数の排気口が形成されている。すなわち、第１加熱手段３１０に対応して第１排気口２６０が形成され、第２加熱手段３１１に対応して第２排気口２６１が形成されている。そして、第１排気口２６０は、第１加熱手段３１０において本体２１０の外方側に位置する端部に対向している本体２１０の縁部２１３Ｃ側に配置されている。また、第２排気口２６１は、第２加熱手段３１１において本体２１０の外方側に位置する端部に対向している本体２１０の縁部２１３Ｄ側に配置されている。
【００５１】
天板２２０には、第１凸部２２４と第２凸部２２５が設けられている。第１凸部２２４及び第２凸部２２５は、上方に向かって突出している。第１凸部２２４は、第１操作部２３０と第１加熱領域２２１及び第２加熱領域２２２との間において、第１操作部２３０に沿って延びている。第２凸部２２５は、第２操作部２４０と第１加熱領域２２１及び第２加熱領域２２２との間において、第２操作部２４０に沿って延びている。
【００５２】
図７及び図８に示すように、第１操作部２３０は、第１電源スイッチ２３１を有している。また、第１操作部２３０は、第１オンオフスイッチ２３２と、第１ＵＰスイッチ２３３と、第１ＤＯＷＮスイッチ２３４と、第１表示部２３５を有している。また、第１操作部２３０は、第２オンオフスイッチ２３６と、第２ＵＰスイッチ２３７と、第２ＤＯＷＮスイッチ２３８と、第２表示部２３９とを有している。同様に、第２操作部２４０は、第２電源スイッチ２４１を有している。また、第２操作部２４０は、第３オンオフスイッチ２４２と、第３ＵＰスイッチ２４３と、第３ＤＯＷＮスイッチ２４４と、第３表示部２４５を有している。また、第２操作部２４０は、第４オンオフスイッチ２４６と、第４ＵＰスイッチ２４７と、第４ＤＯＷＮスイッチ２４８と、第４表示部２４９とを有している。
【００５３】
第１電源スイッチ２３１及び第２電源スイッチ２４１は、加熱調理器２の主電源をオンオフするための主電源スイッチである。第１電源スイッチ２３１は、第１操作部２３０の中央に設けられている。第２電源スイッチ２４１は、第２操作部２４０の中央に設けられている。第１オンオフスイッチ２３２及び第３オンオフスイッチ２４２は、第１加熱領域２２１に対応する第１加熱手段３１０による加熱の開始及び停止を行うためのスイッチである。第１ＵＰスイッチ２３３及び第３ＵＰスイッチ２４３は、第１加熱手段３１０による第１加熱領域２２１の加熱の温度を上昇させるためのスイッチである。第１ＤＯＷＮスイッチ２３４及び第３ＤＯＷＮスイッチ２４４は、第１加熱手段３１０による第１加熱領域２２１の加熱の温度を下降させるためのスイッチである。第１表示部２３５及び第３表示部２４５には、第１加熱手段３１０による第１加熱領域２２１の状態が表示される。
【００５４】
第２オンオフスイッチ２３６及び第４オンオフスイッチ２４６は、第２加熱領域２２２に対応する第２加熱手段３１１による加熱の開始及び停止を行うためのスイッチである。第２ＵＰスイッチ２３７及び第４ＵＰスイッチ２４７は、第２加熱手段３１１による第２加熱領域２２２の加熱の温度を上昇させるためのスイッチである。第２ＤＯＷＮスイッチ２３８及び第４ＤＯＷＮスイッチ２４８は、第２加熱手段３１１による第２加熱領域２２２の加熱の温度を下降させるためのスイッチである。第２表示部２３９及び第４表示部２４９には、第２加熱手段３１１による第２加熱領域２２２の状態が表示される。
【００５５】
このように、本実施の形態２において、第１操作部２３０と第２操作部２４０は、同一の操作仕様を備えている。
【００５６】
図７、図９、図１１、及び図１２に示すように、本体２１０の底面２１３には、下方向に突出する第１脚部２７０と第２脚部２７１が設けられている。第１脚部２７０及び第２脚部２７１は、直方体の形状を有している。第１脚部２７０は、第１排気口２６０と第１吸気口２５０との間において、軸方向が第１排気口２６０に沿うよう配置されている。第２脚部２７１は、第２排気口２６１と第２吸気口２５１との間において、軸方向が第２排気口２６１に沿うよう配置されている。第１脚部２７０は、第１排気口２６０が形成されている範囲に亘って途切れることなく延びている。同様に、第２脚部２７１は、第２排気口２６１が形成されている範囲に亘って途切れることなく延びている。
【００５７】
図１３は、本発明の実施の形態２に係る加熱調理器の内部の斜視図である。図１０〜図１３に示すように、本体２１０内において、第１冷却ファン３３０と第２冷却ファン３３１の間に第１壁部３４０が設けられている。第１壁部３４０は、本体２１０の下ケース２１２の底面２１３において、本体２１０の内方を向く面に設けられている。第１壁部３４０は、第１仕切板３４１と、第２仕切板３４２と、第１柱部３４３と、第２柱部３４４と、第３柱部３４５を有している。第１仕切板３４１及び第２仕切板３４２は、矩形の薄板状の部材である。第１柱部３４３、第２柱部３４４、及び第３柱部３４５は、円柱状の部材である。第１柱部３４３は、底面２１３において、縁部２１３Ａの中央に配置されている。第３柱部３４５は、底面２１３において、縁部２１３Ｂの中央に配置されている。第２柱部３４４は、底面２１３において、縁部２１３Ａと縁部２１３Ｂに直交する直線と、縁部２１３Ｃと縁部２１３Ｄに直交する直線との交点に配置されている。すなわち、第２柱部３４４は、底面２１３の中心に配置されている。第１仕切板３４１は一対の短辺が第１柱部３４３と第２柱部３４４に挟持され、一対の長辺の一方が底面２１３に当接している。第２仕切板３４２は一対の短辺が第２柱部３４４と第３柱部３４５に挟持され、一対の長辺の一方が底面２１３に当接している。なお、第１仕切板３４１と第２仕切板３４２とを一体で構成してもよい。
【００５８】
第１壁部３４０と天板２２０との間には、弾性部材３９３と、弾性部材３９４と、弾性部材３９５が設けられている。弾性部材３９３は、第１壁部３４０の第１柱部３４３の上面に配置され、弾性部材３９４は、第１壁部３４０の第２柱部３４４の上面に配置され、弾性部材３９５は、第１壁部３４０の第３柱部３４５の上面に配置されている。
【００５９】
底面２１３において、本体２１０の内方を向く面には、風向板３５０と風向板３５１が設けられている。風向板３５０は薄板状の部材であり、Ｕ字型の形状を呈している。風向板３５０はＵ字の湾曲部３５０Ａと、直線部３５０Ｃと、直線部３５０Ｄとを有している。湾曲部３５０Ａは、縁部２１３Ａと、第１吸気口２５０及び第１冷却ファン３３０との間に位置し、その凹面側が第１冷却ファン３３０に対向している。直線部３５０Ｃは、第１排気口２６０と、第１吸気口２５０及び第１冷却ファン３３０との間に位置し、第１排気口２６０と平行に延びている。直線部３５０Ｄは、第１壁部３４０の第１仕切板３４１と、第１吸気口２５０及び第１冷却ファン３３０との間に位置し、第１仕切板３４１と平行に延びている。風向板３５１は薄板状の部材であり、Ｕ字型の形状を呈している。風向板３５１はＵ字の湾曲部３５１Ａと、直線部３５１Ｃと、直線部３５１Ｄとを有している。湾曲部３５１Ａは、縁部２１３Ｂと、第２吸気口２５１及び第２冷却ファン３３１との間に位置し、その凹面側が第２冷却ファン３３１に対向している。直線部３５１Ｃは、第２排気口２６１と、第２吸気口２５１及び第２冷却ファン３３１との間に位置し、第２排気口２６１と平行に延びている。直線部３５１Ｄは、第１壁部３４０の第２仕切板３４２と、第２吸気口２５１及び第２冷却ファン３３１との間に位置し、第２仕切板３４２と平行に延びている。
【００６０】
図１４は、本発明の実施の形態２に係る加熱調理器の機能ブロック図である。制御部２００は、加熱調理器２を全体的に制御するものであり、ＣＰＵ、記憶部、及びＩ／Ｏポート等を備えたマイコンを有している。第１操作部２３０の上述の各スイッチが操作されると、第１操作基板３２２を介して、制御部２００に信号が出力される。第１操作基板３２２から入力された信号に基づく制御信号が、制御部２００から第１駆動基板３２０に出力される。制御部２００の制御信号に基づいて、第１駆動基板３２０から第１加熱手段３１０へ駆動信号が出力される。同様に、第２操作部２４０の上述の各スイッチが操作されると、第２操作基板３２３を介して、制御部２００に信号が出力される。第２操作基板３２３から入力された信号に基づく制御信号が、制御部２００から第２駆動基板３２１に出力される。制御部２００の制御信号に基づいて、第２駆動基板３２１から第２加熱手段３１１へ駆動信号が出力される。
【００６１】
また、制御部２００では、第１操作基板３２２から入力された信号に基づいて第１加熱手段３１０の設定火力を判断し、第１加熱手段３１０の設定火力に応じて第１冷却ファン３３０を駆動する制御信号が出力される。同様に、制御部２００では、第２操作基板３２３から入力された信号に基づいて第２加熱手段３１１の設定火力を判断し、第２加熱手段３１１の設定火力に応じて第２冷却ファン３３１を駆動する制御信号が出力される。第１加熱手段３１０が高火力で駆動されている場合、第１冷却ファン３３０の回転数は高められ、第１加熱手段３１０が低火力で駆動されている場合、第１冷却ファン３３０の回転数は低められるよう、制御される。同様に、第２加熱手段３１１が高火力で駆動されている場合、第２冷却ファン３３１の回転数は高められ、第２加熱手段３１１が低火力で駆動されている場合、第２冷却ファン３３１の回転数は低められるよう、制御部２００により制御される。
【００６２】
ここで、本実施の形態２における個別加熱モードと協同加熱モードについて説明する。個別加熱モードとは、制御部２００により第１加熱手段３１０と第２加熱手段３１１が個別に駆動される加熱モードである。個別加熱モードでは、加熱の開始、調理温度の上昇、調理温度の下降、及び加熱の停止が、第１加熱手段３１０と第２加熱手段３１１で、個別に実行される。協同加熱モードとは、制御部２００により、隣接する第１加熱手段３１０と第２加熱手段３１１が協同で駆動される加熱モードである。協同加熱モードでは、加熱の開始、調理温度の上昇、調理温度の下降、及び加熱の停止が、第１加熱手段３１０と第２加熱手段３１１との間で同期をとって実行される。従って、第１加熱領域２２１と第２加熱領域２２２を含む領域２２０Ｅが一つの加熱領域として機能する。
【００６３】
本実施の形態２では、第１オンオフスイッチ２３２、第２オンオフスイッチ２３６、第３オンオフスイッチ２４２、及び第４オンオフスイッチ２４６の操作態様に応じて、個別加熱モードと協同加熱モードが切り換えられるよう、構成されている。例えば、第１オンオフスイッチ２３２、第２オンオフスイッチ２３６、第３オンオフスイッチ２４２、及び第４オンオフスイッチ２４６をそれぞれ単独で操作した場合は、対応する加熱手段を個別に加熱する個別加熱モードで動作する。また、隣接する加熱手段に対応するオンオフスイッチを同時に操作した場合は、隣接する加熱手段を同時に加熱する協同加熱モードで動作する。これにより、操作部のスイッチ数を増やすことなく個別加熱モードと協同加熱モードの切り替えを行え、部品数低減によるコスト低減効果が図れる。または、個別加熱モードと協同加熱モードを切り替えるスイッチを個別に設けても良い。これにより、個別加熱モードと協同加熱モードの切り替えが容易に行える。
【００６４】
本実施の形態２によれば、加熱調理器２において、２つの操作部、すなわち、第１操作部２３０と第２操作部２４０が、天板２２０において異なる縁部に設けられている。第１操作部２３０と第２操作部２４０は同一の操作仕様で構成されている。底面２１３には、第１排気口２６０と第２排気口２６１が形成され、第１脚部２７０と第２脚部２７１が設けられている。また、第１操作部２３０及び第２操作部２４０は、第１排気口２６０、第２排気口２６１、及び電源コード２８０とは異なる縁部に設けられている。従って、本実施の形態２においても実施の形態１の上述の効果と同様の効果が得られる。
【００６５】
本実施の形態２によれば、２つの加熱手段、すなわち、第１加熱手段３１０と第２加熱手段３１１が設けられている。従って、１台の加熱調理器２で複数の被加熱物を使用することができる。
【００６６】
さらに、上述のように、個別加熱モードを選択すれば、第１加熱手段３１０と第２加熱手段３１１を個別に制御することができる。従って、第１加熱領域２２１と第２加熱領域２２２で異なる調理を同時に行うことができる。また、協同加熱モードを選択すれば、第１加熱手段３１０と第２加熱手段３１１を同期をとって制御することができる。従って、第１加熱領域２２１及び第２加熱領域２２２にまたがるような大きな被加熱物を使用して調理することができる。このように、本実施の形態２によれば、加熱調理器の利便性が向上する。
【００６７】
上述のように、第１排気口２６０は第１加熱手段３１０の側に位置し、第２排気口２６１は第２加熱手段３１１の側に位置している。そのため、図１１で太矢印で示すように、第１吸気口２５０から給気され第１加熱手段３１０を冷却した空気は、第１排気口２６０に導かれて下側に排出される。また、第２吸気口２５１から給気され第２加熱手段３１１を冷却した空気は、第２排気口２６１に導かれて下側に排出される。従って、第１加熱手段３１０及び第２加熱手段３１１のそれぞれの冷却風の吸気から排気までの経路を短くすることができ、本体２１０内を冷却する冷却風の圧力損失を低下させることができる。その結果、第１冷却ファン３３０及び第２冷却ファン３３１による冷却効率の向上、若しくは第１冷却ファン３３０及び第２冷却ファン３３１の回転数低減による静音化を図ることができる。また、第１加熱手段３１０を冷却した空気及び第２加熱手段３１１を冷却した空気が、それぞれ第１排気口２６０及び第２排気口２６１から下側に排出される。そのため、各排気口から横方向に排出される場合と比較して、第１排気口２６０及び第２排気口２６１の周囲に置かれた食材等を温めることを抑制できる。
【００６８】
第１冷却ファン３３０の回転数は第１加熱手段３１０の火力に応じて制御され、第２冷却ファン３３１の回転数は第２加熱手段３１１の火力に応じて制御される。従って、加熱調理器２全体で省エネルギー化が図られると共に、低騒音化が図られる。
【００６９】
第１電源スイッチ２３１は、第１操作部２３０の中央に設けられている。従って、第１操作部２３０側に２人以上の使用者が横並びで位置している場合、どの使用者からも第１電源スイッチ２３１の操作が容易である。例えば、調理中の吹きこぼれ及び焦げ付きに気付いた使用者が、どの位置にいても第１電源スイッチ２３１を操作して加熱を停止することができる。第２電源スイッチ２４１も第２操作部２４０の中央に設けられており、同様の効果が得られる。従って、加熱調理器２の利便性が向上する。
【００７０】
また、底面２１３において、第１冷却ファン３３０と第２冷却ファン３３１の間に第１壁部３４０を設けることにより、第１冷却ファン３３０の冷却風と第２冷却ファン３３１の冷却風の混合を防止することができる。従って、第１冷却ファン３３０及び第２冷却ファン３３１の冷却効率がそれぞれ良好に維持される。
【００７１】
また、第１壁部３４０は、加熱調理器２の略中央に設けられている。従って、天板２２０の撓みを防止することができ、天板２２０の強度を補強することができる。
【００７２】
第１壁部３４０と天板２２０との間に、弾性部材３９３、弾性部材３９４、及び弾性部材３９５を設けることにより、第１壁部３４０と天板２２０を確実に当接することができる。また、プラスチック若しくは金属を天板２２０に当接させる場合に比べ、天板２２０を傷つけにくいという効果が得られる。
【００７３】
図１５は、実施の形態２の第１変形例の加熱調理器の底面図である。底面２１３において、本体２１０の外方を向く面、すなわち、加熱調理器２の設置面を向く面には、第２壁部３６０が設けられている。第２壁部３６０は、第１吸気口２５０と第２吸気口２５１の間において、縁部２１３Ａ及び縁部２１３Ｂと平行に延びている。第２壁部３６０の一方の端部は第１脚部２７０に当接し、他方の端部は第２脚部２７１に当接している。その他の構成は、上述の実施の形態２と同様である。
【００７４】
本第１変形例においても、第１排気口２６０は第１加熱手段３１０の側に位置し、第２排気口２６１は第２加熱手段３１１の側に位置している。そのため、２台の冷却ファンである第１冷却ファン３３０及び第２冷却ファン３３１による冷却において、第１吸気口２５０は第１排気口２６０寄りに配置され、第２吸気口２５１は第２排気口２６１寄りに配置されるので、それぞれの排気風路が短くなる。従って、冷却風の圧力損失を低下させることができ、第１冷却ファン３３０及び第２冷却ファン３３１による冷却効率の向上、若しくは第１冷却ファン３３０及び第２冷却ファン３３１の回転数低減による静音化を図ることができる。
【００７５】
さらに、第２壁部３６０により、第１吸気口２５０は縁部２１３Ａ側から空気を吸入し、第２吸気口２５１は縁部２１３Ｂ側から空気を吸入することができる。複数の吸気口で同一方向から吸気する場合、それぞれの吸気口に対応する冷却ファンの回転数に差がある場合、回転数の高い冷却ファンの方へ外気が吸気され易い。そのため、回転数の低い冷却ファンの風量が不安点になる。しかしながら、本第１変形例では、第２壁部３６０により第１吸気口２５０及び第２吸気口２５１までの風路がそれぞれ独立して確保されるため、第１吸気口２５０及び第２吸気口２５１からの吸気が安定的に行われる。
【００７６】
図１６は、実施の形態２の第２変形例の加熱調理器の内面を示す図である。図１６は、天板２２０を外した状態を示している。本体２１０内には、第１加熱手段３１０と、第２加熱手段３１１と、駆動基板３７０と、冷却ファン３７１が収容されている。底面２１３には、吸気口２９０が形成されている。図１６において、第１加熱手段３１０及び第２加熱手段３１１は二点鎖線で示されている。駆動基板３７０と冷却ファン３７１は、第１加熱手段３１０と第２加熱手段３１１との間に相当する位置に配置されている。駆動基板３７０は、縁部２１３Ｂ側において、縁部２１３Ｂの略中央に配置されている。吸気口２９０は、縁部２１３Ａ側において、縁部２１３Ａの略中央に形成されている。冷却ファン３７１は、吸気口２９０の上方に配置されている。第２変形例においては、駆動基板３７０に第１加熱手段３１０を駆動するための電子部品及び第２加熱手段３１１を駆動するための電子部品が搭載されている。
【００７７】
底面２１３において、本体２１０の内方を向く面には、風向板３７２が設けられている。風向板３７２は、上述の風向板３５０及び風向板３５１と同様の構成を有している。風向板３７２の湾曲部３７２Ａが縁部２１３Ａと冷却ファン３７１との間に位置し、湾曲部３７２Ａの凹面側が冷却ファン３７１に対向している。また、直線部３７２Ｃが縁部２１３Ｃに沿って平行に延び、直線部３７２Ｄが縁部２１３Ｄに沿って平行に延びるよう配置されている。
【００７８】
本第２変形例においても、第１排気口２６０は第１加熱手段３１０の側に位置し、第２排気口２６１は第２加熱手段３１１の側に位置している。そのため、１台の冷却ファン３７１から出た冷却風は、駆動基板３７０を冷却し、第１排気口２６０及び第２排気口２６１側へ導かれる。つまり、吸気口２９０から第１排気口２６０及び第２排気口２６１へ至る風路内に配置された第１加熱手段３１０及び第２加熱手段３１１を冷却可能であり、１台の冷却ファン３７１で効率的に冷却できる。これにより、部品数低減によるコスト低減効果が図られる。
【００７９】
図１７は、実施の形態２の第３変形例の加熱調理器の内面を示す図である。図１７は、天板２２０を外した状態を示している。本体２１０内には、第１加熱手段３１０と、第２加熱手段３１１と、第１駆動基板３８０と、第２駆動基板３８１と、冷却ファン３８２が収容されている。図１７において、第１加熱手段３１０及び第２加熱手段３１１は二点鎖線で示されている。吸気口２９１は底面２１３の略中央に形成されている。冷却ファン３８２は吸気口２９１の上方に配置されている。第１駆動基板３８０と第２駆動基板３８１は、冷却ファン３８２及び吸気口２９１を挟んで対向するよう配置されている。第１駆動基板３８０は縁部２１３Ｃ側に位置し、第２駆動基板３８１は縁部２１３Ｄ側に位置している。
【００８０】
底面２１３において、本体２１０の内方を向く面には、風向板３７３と風向板３７４が設けられている。風向板３７３及び風向板３７４は、矩形の薄板状の部材である。風向板３７３及び風向板３７４は、第１駆動基板３８０と第２駆動基板３８１との間に配置されている。風向板３７３は、冷却ファン３８２及び吸気口２９１に対して縁部２１３Ｂ側に配置され、縁部２１３Ｂと平行に延びている。風向板３７４は、冷却ファン３８２及び吸気口２９１に対して縁部２１３Ａ側に配置され、縁部２１３Ａと平行に延びている。
【００８１】
本第３変形例によれば、吸気口２９１から吸気された空気は、風向板３７３及び風向板３７４により、縁部２１３Ａ及び縁部２１３Ｂの方へ流れることが防止され、第１排気口２６０及び第２排気口２６１側へ導かれる。つまり、吸気口２９１から第１排気口２６０及び第２排気口２６１へ至る風路内に配置された第１加熱手段３１０と第１駆動基板３８０、及び、第２加熱手段３１１と第２駆動基板３８１とをセットで冷却することができる。従って、部品数低減によるコスト低減効果が図られる。また、吸気口２９１から第１排気口２６０及び第２排気口２６１へ導かれる冷却風路は直線的なので、風路形状による圧力損失が低減でき、冷却ファン３８２による冷却効率の向上、若しくは冷却ファン３８２の回転数低減による静音化を図ることができる。
【００８２】
図１８は、実施の形態２の第４変形例の加熱調理器の平面図である。第４変形例の加熱調理器４において、天板２２０は、４つの加熱領域、すなわち第１加熱領域２２６、第２加熱領域２２７、第３加熱領域２２８、及び第４加熱領域２２９を有している。第１加熱領域２２６、第２加熱領域２２７、第３加熱領域２２８、及び第４加熱領域２２９は、縁部２２０Ａ及び縁部２２０Ｂに沿って、１列に並置されている。加熱調理器４の内部には、これらの加熱領域それぞれに対応する加熱手段が収容されている。加熱調理器４も、上述の個別加熱モードと協同加熱モードを備えている。個別加熱モードでは、第１加熱領域２２６、第２加熱領域２２７、第３加熱領域２２８、及び第４加熱領域２２９における加熱調理が個別に実行される。協同加熱モードでは、少なくとも隣り合う２つの加熱領域を１つの加熱領域とした加熱が可能である。例えば、第１加熱領域２２６と第２加熱領域２２７の協同加熱が可能である。また、第１加熱領域２２６、第２加熱領域２２７、及び第３加熱領域２２８の協同加熱が可能である。また、第２加熱領域２２７、第３加熱領域２２８、及び第４加熱領域２２９の協同加熱が可能である。また、第１加熱領域２２６、第２加熱領域２２７、第３加熱領域２２８、及び第４加熱領域２２９の協同加熱が可能である。
【００８３】
図１９は、実施の形態２の第５変形例の加熱調理器の平面図である。第５変形例の加熱調理器５において、天板２２０は、４つの加熱領域、すなわち第１加熱領域２９６、第２加熱領域２９７、第３加熱領域２９８、及び第４加熱領域２９９を有している。第１加熱領域２９６は、縁部２２０Ｂと縁部２２０Ｃが交差する角部側に位置している。第２加熱領域２９７は、縁部２２０Ａと縁部２２０Ｃが交差する角部側に位置している。第３加熱領域２９８は、縁部２２０Ｂと縁部２２０Ｄが交差する角部側に位置している。第４加熱領域２９９は、縁部２２０Ａと縁部２２０Ｄが交差する角部側に位置している。加熱調理器５の内部には、これらの加熱領域それぞれに対応する加熱手段が収容されている。加熱調理器５も、上述の個別加熱モードと協同加熱モードを備えている。個別加熱モードでは、第１加熱領域２９６、第２加熱領域２９７、第３加熱領域２９８、及び第４加熱領域２９９における加熱調理が個別に実行される。協同加熱モードでは、少なくとも隣り合う２つの加熱領域を１つの加熱領域とした加熱が可能である。例えば、第１加熱領域２９６と第２加熱領域２９７の協同加熱が可能である。また、第１加熱領域２９６と第３加熱領域２９８の協同加熱が可能である。また、第２加熱領域２９７と第４加熱領域２９９の協同加熱が可能である。また、第３加熱領域２９８と第４加熱領域２９９の協同加熱が可能である。また、第１加熱領域２９６、第２加熱領域２９７、第３加熱領域２９８、及び第４加熱領域２９９の協同加熱が可能である。
【００８４】
第４変形例及び第５変形例においても、上述の実施の形態２と同様の効果が得られる。
【００８５】
尚、実施の形態１の加熱調理器１及び実施の形態２の加熱調理器２は、全体として直方体の形状を呈しているがこれに限るものではない。例えば、円筒形の本体の上部に円形の天板を備えた加熱調理器において、円弧状の縁部の一部に複数の操作部を設ける構成としてもよい。
【符号の説明】
【００８６】
１  加熱調理器、２  加熱調理器、４  加熱調理器、５  加熱調理器、１０  本体、１１  上ケース、１２  下ケース、１３  底面、１３Ａ  縁部、１３Ｂ  縁部、１３Ｃ  縁部、１３Ｄ  縁部、２０  天板、２０Ａ  縁部、２０Ｂ  縁部、２０Ｃ  縁部、２０Ｄ  縁部、２１  加熱領域、２２  第１凸部、２３  第２凸部、３０  第１操作部、３１  第１電源スイッチ、３２  第１オンオフスイッチ、３３  第１ＵＰスイッチ、３４  第１ＤＯＷＮスイッチ、３５  第１表示部、４０  第２操作部、４１  第２電源スイッチ、４２  第２オンオフスイッチ、４３  第２ＵＰスイッチ、４４  第２ＤＯＷＮスイッチ、４５  第２表示部、５０  吸気口、６０  第１排気口、６１  第２排気口、７０  第１脚部、７１  第２脚部、８０  電源コード、９１  第１脚部側壁、９２  第２脚部側壁、９３  第３脚部側壁、９４  第４脚部側壁、１１０  加熱手段、１１３Ａ  縁部、１１３Ｃ  縁部、１２０  駆動基板、１２０Ａ  縁部、１２０Ｃ  縁部、１２１  第１操作基板、１２２  第２操作基板、１３０  冷却ファン、１３０Ｃ  縁部、１４０  風向板、１４０Ａ  湾曲部、１４０Ｃ  直線部、１４０Ｄ  直線部、２００  制御部、２１０  本体、２１１  上ケース、２１２  下ケース、２１３  底面、２１３Ａ  縁部、２１３Ｂ  縁部、２１３Ｃ  縁部、２１３Ｄ  縁部、２２０  天板、２２０Ａ  縁部、２２０Ｂ  縁部、２２０Ｃ  縁部、２２０Ｄ  縁部、２２０Ｅ  領域、２２１  第１加熱領域、２２２  第２加熱領域、２２４  第１凸部、２２５  第２凸部、２２６  第１加熱領域、２２７  第２加熱領域、２２８  第３加熱領域、２２９  第４加熱領域、２３０  第１操作部、２３１  第１電源スイッチ、２３２  第１オンオフスイッチ、２３３  第１ＵＰスイッチ、２３４  第１ＤＯＷＮスイッチ、２３５  第１表示部、２３６  第２オンオフスイッチ、２３７  第２ＵＰスイッチ、２３８  第２ＤＯＷＮスイッチ、２３９  第２表示部、２４０  第２操作部、２４１  第２電源スイッチ、２４２  第３オンオフスイッチ、２４３  第３ＵＰスイッチ、２４４  第３ＤＯＷＮスイッチ、２４５  第３表示部、２４６  第４オンオフスイッチ、２４７  第４ＵＰスイッチ、２４８  第４ＤＯＷＮスイッチ、２４９  第４表示部、２５０  第１吸気口、２５１  第２吸気口、２６０  第１排気口、２６１  第２排気口、２７０  第１脚部、２７１  第２脚部、２８０  電源コード、２９０  吸気口、２９１  吸気口、２９６  第１加熱領域、２９７  第２加熱領域、２９８  第３加熱領域、２９９  第４加熱領域、３１０  第１加熱手段、３１１  第２加熱手段、３２０  第１駆動基板、３２１  第２駆動基板、３２２  第１操作基板、３２３  第２操作基板、３３０  第１冷却ファン、３３１  第２冷却ファン、３４０  第１壁部、３４１  第１仕切板、３４２  第２仕切板、３４３  第１柱部、３４４  第２柱部、３４５  第３柱部、３５０  風向板、３５０Ａ  湾曲部、３５０Ｃ  直線部、３５０Ｄ  直線部、３５１  風向板、３５１Ａ  湾曲部、３５１Ｃ  直線部、３５１Ｄ  直線部、３６０  第２壁部、３７０  駆動基板、３７１  冷却ファン、３７２  風向板、３７２Ａ  湾曲部、３７２Ｃ  直線部、３７２Ｄ  直線部、３７３  風向板、３７４  風向板、３８０  第１駆動基板、３８１  第２駆動基板、３８２  冷却��ァン、３９３  弾性部材、３９４  弾性部材、３９５  弾性部材。
【図１】
2019185988.tif 000003
【図２】
2019185988.tif 000004
【図３】
2019185988.tif 000005
【図４】
2019185988.tif 000006
【図５】
2019185988.tif 000007
【図６】
2019185988.tif 000008
【図７】
2019185988.tif 000009
【図８】
2019185988.tif 000010
【図９】
2019185988.tif 000011
【図１０】
2019185988.tif 000012
【図１１】
2019185988.tif 000013
【図１２】
2019185988.tif 000014
【図１３】
2019185988.tif 000015
【図１４】
2019185988.tif 000016
【図１５】
2019185988.tif 000017
【図１６】
2019185988.tif 000018
【図１７】
2019185988.tif 000019
【図１８】
2019185988.tif 000020
【図１９】
2019185988.tif 000021